(57)【要約】【課題】パウチを簡便に取り扱って内容物を注出することができるパウチ用アタッチメントを提供する。【解決手段】外側上方に突出する注出部から内容物を注出するパウチに装着されるパウチ用アタッチメントであって、前記アタッチメントは、フレーム本体５に、前記パウチに取り付ける装着部２、前記パウチの収納部を押圧する押圧部３２を先端部に形成した開閉可能な一対の押圧アーム３０を有する押圧アーム部３を設けている。【選択図】図７
2015221685.tif 000002
【特許請求の範囲】
【請求項１】
外側上方に突出する注出部から内容物を注出するパウチに装着されるパウチ用アタッチメントであって、
前記アタッチメントは、フレーム本体に、前記パウチに取り付ける装着部、前記パウチの収納部を押圧する押圧部を先端部に形成した開閉可能な一対の押圧アームを有する押圧アーム部を設けたことを特徴とするパウチ用アタッチメント。
【請求項２】
前記一対の押圧アームの基端部にて前進、後退移動するプッシュ部を設け、
前記プッシュ部の移動により前記一対の押圧アームの基端部側の開閉を行い、前記一対の押圧アームの押圧部の閉じ、開きを行う請求項１に記載のパウチ用アタッチメント。
【請求項３】
前記フレーム本体に把持部材を設けた請求項１または２に記載のパウチ用アタッチメント。
【請求項４】
前記把持部材に前記装着部を設けた請求項３に記載のパウチ用アタッチメント。
【請求項５】
前記装着部が、固定保持ピンを立設した固定板と、該固定保持ピンに対して揺動する揺動保持ピンを立設した揺動押圧板から成る請求項１〜３のいずれかに記載のパウチ用アタッチメント。
【請求項６】
前記装着部が、凹凸部を形成した固定狭着板と、該固定狭着板に相対して搖動する凹凸部を形成した搖動狭着板から成る請求項１〜３のいずれかに記載のパウチ用アタッチメント。
【請求項７】
前記装着部が、それぞれ挟圧保持面の上方の第１装着部、及び下方の第２装着部から成り、該第２装着部を傾斜して設けた請求項４に記載のパウチ用アタッチメント。
【発明の詳細な説明】
【技術分野】
【０００１】
本発明は、洗剤やシャンプー等の日用品、調味料等の食料品等の内容物を注出する注出部を形成したパウチ、特に、上部隅角部に注出部が形成され、自己閉塞を生じるパウチから内容物を注出するためのパウチ用アタッチメントに関する。
【背景技術】
【０００２】
従来より、樹脂フィルムを重ね合わせ、端部をシールして成るパウチは、洗剤やシャンプー等の日用品や、調味料等の食料品等の各種用途に広く使用されている。このような袋状容器に自立性を持たせるべく、２枚の側面フィルムの間に２つ折りにした底部フィルムを介在させ、サイドシール部及びボトムシール部によりシールしたスタンディングパウチに、内容物を注出し易くするため、注出部を設けることが広く知られている。
【０００３】
そして、このようなスタンディングパウチには、通常、内容物を注出する注出部が形成され、内容物の注出時、或いは内容物を注出部から注出してボトル等の容器に詰め替える際に、開口した注出部の注出口が自己閉塞を生じ、このため、内容物の注出に時間、或いは手間を要する場合がある。
このようなスタンディングパウチの問題に対し、内容物の詰め替え中、注出口が閉じることなく、内容物を最後まで滞りなく詰め替えることができる包装袋が提案されている（特許文献１）。
【０００４】
そして、特許文献１による包装袋１は、注出口部５が下になるように傾斜した際、注出口部５付近が内容物の圧力により前後に膨らむことにより発生する稜線１６上に、該稜線１６を包装袋の内方に押圧することを表示する押圧マーク８、または包装袋自体に押圧手段を設けるものである。
【先行技術文献】
【特許文献】
【０００５】
【特許文献１】特開２００３−１３７３１８号公報
【発明の概要】
【発明が解決しようとする課題】
【０００６】
しかしながら、特許文献１の包装袋においては、前述した内容物の注出時に注出口の自己閉塞を解除し、安定的に注出するには、一方の手でパウチを把持し、他方の手の指先で押圧マーク８、または押圧手段をパウチの両側から押圧しなければならず、パウチを簡便に取り扱って内容物を注出することができない。
また、前記した押圧マーク８、または押圧手段を包装袋に設けなければならず、さらに、内容物の注出時に注出口の自己閉塞を生じないパウチも提案されているが、これらのパウチの製造においては新たな製造装置を必要とし、また、内容物の注出をより安定的に行う手段も要望されている。
【０００７】
本発明は、このような事情に鑑みてなされたものであって、パウチ、特にスタンディングパウチ等において、パウチを簡便に取り扱って内容物を注出することができ、特に、自己閉鎖を生じるパウチであっても、取り扱いが容易なパウチ用アタッチメントを提供することを目的とする。
【課題を解決するための手段】
【０００８】
前記目的を達成するために、本発明によれば、外側上方に突出する注出部から内容物を注出するパウチに装着されるパウチ用アタッチメントであって、前記アタッチメントは、フレーム本体に、前記パウチに取り付ける装着部、前記パウチの収納部を押圧する押圧部を先端部に形成した開閉可能な一対の押圧アームを有する押圧アーム部を設けたことを特徴とするパウチ用アタッチメントが提供される。
本発明のパウチ用アタッチメントにおいては、
１．前記一対の押圧アームの基端部にて前進、後退移動するプッシュ部を設け、前記プッシュ部の移動により前記一対の押圧アームの基端部側の開閉を行い、前記一対の押圧アームの押圧部の閉じ、開きを行うこと、
２．前記フレーム本体に把持部材を設けること、
３．前記把持部材に前記装着部を設けること、
４．前記装着部が、固定保持ピンを立設した固定板と、該固定保持ピンに対して揺動する揺動保持ピンを立設した揺動押圧板から成ること、
５．前記装着部が、凹凸部を形成した固定狭着板と、該固定狭着板に相対して搖動する凹凸部を形成した揺動狭着板から成ること、
６．前記装着部が、それぞれ挟圧保持面の上方の第１装着部、及び下方の第２装着部から成り、該第２装着部を傾斜して設けること、
が好ましい。
【発明の効果】
【０００９】
本発明のパウチ用アタッチメントによれば、前記アタッチメントが、フレーム本体に、前記パウチに取り付ける装着部、前記パウチの収納部を押圧する押圧部を先端部に形成した開閉可能な一対の押圧アームを有する押圧アーム部を設けたので、パウチを簡便に取り扱って内容物を効率良く注出すること、或いは内容物の注出を安定的に行うことができる。
【図面の簡単な説明】
【００１０】
【図１】本発明の第１の実施形態のパウチ用アタッチメントをパウチに装着した状態の側面図である。
【図２】本発明の第１の実施形態のパウチ用アタッチメントの斜視図である。
【図３】本発明の第１の実施形態のパウチ用アタッチメントの側面図である。
【図４】本発明の第１の実施形態のパウチ用アタッチメントの平面図である。
【図５】本発明の第１の実施形態のパウチ用アタッチメントの作動時の平面図である。
【図６】本発明の第１の実施形態のパウチ用アタッチメントの上保持板を外した状態の平面図である。
【図７】本発明の第１の実施形態のパウチ用アタッチメントの作動時における上保持板を外した状態の平面図である。
【図８】本発明の第１の実施形態におけるパウチ用アタッチメントの搖動押圧板の開閉状態を示す図である。
【図９】本発明の第１の実施形態におけるパウチ用アタッチメントの押圧アームの変形例を示す図である。
【図１０】本発明の第１の実施形態におけるパウチ用アタッチメントの押圧アームのさらに他の変形例を示す図である。
【図１１】本発明の第２の実施形態のパウチ用アタッチメントがパウチに装着された状態の斜視図である。
【図１２】本発明の第２の実施形態のパウチ用アタッチメントの第１装着部、第２装着部の断面図である。
【図１３】本発明の第２の実施形態のパウチ用アタッチメントの把持部材と下保持板の取付状態を示す拡大斜視図である。
【図１４】本発明の第３の実施形態のパウチ用アタッチメントの斜視図である。
【図１５】本発明の第３の実施形態のパウチ用アタッチメントの側面図である。
【図１６】本発明の第３の実施形態のパウチ用アタッチメントが開いている状態の平面図である。
【図１７】本発明の第３の実施形態のパウチ用アタッチメントが閉じている状態の平面図である。
【図１８】本発明の第４の実施形態のパウチ用アタッチメントの斜視図である。
【図１９】本発明の第４の実施形態のパウチ用アタッチメントが閉じている状態の平面図である。
【図２０】本発明の第４の実施形態のパウチ用アタッチメントのガイド部の拡大図である。
【図２１】本発明のパウチ用アタッチメントが適用されるパウチの側縁部の断面図である。
【発明を実施するための形態】
【００１１】
本発明の第１の実施形態のパウチ用アタッチメント１は、図１に示すように、該アタッチメント１をパウチ５０に取付ける装着部２、パウチ５０の内容物を収納する収納部５０ａのフィルム面を押圧する押圧アーム部３、押圧アーム部３を操作するプッシュ部４及びこれらの部材を支持するフレーム本体５を備えている。
なお、本実施形態のパウチ用アタッチメント１を適用する好適なパウチとしては、図１に示したパウチ５０に手、指の挿入孔などの把持部５０ｂを形成したパウチが好適である。このようなパウチにパウチ用アタッチメント１を装着することにより、パウチ５０の把持部５０ｂを手で把持しながら、パウチ用アタッチメント１のプッシュ部４を押すことが可能となり、内容物の注出を片手で容易に行うことができる。
【００１２】
［フレーム本体の構造］
フレーム本体５は、図２及び図３に示すように、装着部２、押圧アーム部３、プッシュ部４を支持し、上保持板６と下保持板７とを備えている。これらの上下保持板６，７は、先端側に二股支持部１９が形成され、基端側に肩部２０が形成されている。
そして、下保持板７には、二股支持部１９の各両側部に前支柱１０が形成され、各肩部２０には後支柱１１が形成され、下保持板７の上面から上方へ立設させている。これらの前後支柱１０，１１はそれぞれ同じ高さで形成され、前後支柱１０，１１の上に平板形状の上保持板６が被せられる（図６及び図７参照）。
【００１３】
これらの上下保持板６，７は、各支柱１０，１１に設けられたネジ取付部にてネジ９で固定され（図４参照）、上保持板６と下保持板７との板間には、支柱１０，１１の高さ相当の隙間領域１３が形成される。また、上下保持板６，７の間は、支柱１０，１１を形成した四か所を除いて、側部全体が四方に開放されている。
二股支持部１９の分岐した先端部の各々には、後述する押圧アーム３０を回動自在に軸支する回動軸１６の支持孔１７が形成されている。また、上下保持板６，７の肩部２０間には四角形状の凹所２３が形成され、後述するプッシュ部４が配設される。さらに、下保持板７の中央には横方向へ延びる四角形状の長孔２１が形成され（図６参照）、長孔２１には後述する装着部２の固定板２２の上端部が挿通される。
【００１４】
［押圧アーム部の構造］
押圧アーム部３は、パウチ５０のフィルム面を押圧部３２によって両側から押圧する部材である。
押圧アーム部３は、図６及び図７に示すように、各々が一対の押圧アーム３０、押圧部３２及び戻しバネ２５を具備している。一対の押圧アーム３０は平板によって形成され、両者が協働して、押圧部３２の開閉動作を行い、同一形状の部品が間隔を空けて対称的に配置されている。各押圧アーム３０の基端側には、隙間領域１３内に位置させて、基端部２７、逃げ溝２８及び軸孔２９が形成されている。基端部２７は、内側に一対の傾斜面としての規制面２７ａが形成され、規制面２７ａはプッシュ部４側（後方側）に向けて拡開する。軸孔２９には、回動軸１６が貫通し、押圧アーム３０を回動（若しくは搖動）自在に軸支する。軸孔２９と基端部２７との間には逃げ溝２８が形成され、逃げ溝２８は、前支柱１０と押圧アーム３０との干渉を避けるために形成されている。
【００１５】
回動軸１６よりも前側に位置する押圧アーム３０は、パウチ５０の装着時にはその表裏両面を跨ぐようにして配設されるが、パウチ５０との接触を防止して押圧部３２によるパウチ５０への押圧を確実に行うため、中間部が外側に突出する形状に湾曲又は屈曲されている。そしてその形状は、押圧アーム３０の軸孔２９付近では外側前方に広がって屈曲し、先端側では内側前方に湾曲するように形成されている。各押圧アーム３０の先端部には、円形の押圧部３２が互いに押圧面を対向させて配置されている。また、押圧部３２のそれぞれ対向する押圧面は、緩やかな凸曲面によって形成されている。
各押圧アーム３０には、待機時に押圧アーム３０を外側に開く方向に付勢する戻しバネ２５が設けられている。戻しバネ２５は、一端側で押圧アーム３０の内面から上面外側へ折り返され、他端側で回動軸１６の下端に巻装され、端部がフレーム本体５の固定部分に固定されている。したがって、戻しバネ２５は、待機時においては、図６に示すように、押圧アーム３０を開く方向に維持させ、基端部２７を閉じる方向に維持させる。
【００１６】
［プッシュ部の構造］
プッシュ部４は、押圧アーム３０の基端部２７にて前進、後退移動が可能であり、図６では後退位置にあり、図７では前進位置にある。プッシュ部４は、前側に位置するプッシャー３４と後側に位置するプッシュボタン３５とから構成されている。プッシャー３４は台形状であって、厚さが隙間領域の高さにほぼ等しく、隙間領域１３を前後方向に摺動が可能である。プッシャー３４には、前方側に狭くなる傾斜面（台形の斜面の部分）３４ａが両側部に形成され、傾斜面３４ａは、基端部２７の規制面２７ａの内側に沿って形成されている。プッシャー３４の後端側は、後支柱１１の前側に配置され、横幅は後支柱１１間の長さよりも大きく、後支柱１１がプッシャー３４の後退位置を規制する（図６参照）。
【００１７】
プッシュボタン３５は、プッシャー３４の後端側から、上方へ伸びて形成されており、後支柱１１よりも高い位置にある。その横幅は、上下保持板６，７の肩部２０間（すなわち凹所２３の幅）の長さに等しく、プッシュボタン３５は凹所２３間に案内され、プッシャー３４と共に前後方向に摺動する。
プッシュ部４の前進位置では、押圧アーム３０の基端部２７に形成されたストッパ部２７ｂをストッパとして、プッシャー３４を当接させる。
ただし、このブッシュ部４の前進位置は、押圧アーム３０の押圧部３２が完全に接触しないように、２〜３ｍｍのクリアランスを形成するように調整して、内容物の流路を形成することが好ましい（後述する他の実施例も同様である）。
【００１８】
［装着部の構造］
装着部２は、図３及び図８に示すように、パウチ用アタッチメント１をパウチ５０に装着させるものであり、固定板２２と搖動押圧板４２とを有する。上下方向に延びる平板状の固定板２２は、上端部が上述したように、下保持板７に形成された長孔２１（図６）に嵌入されてフレーム本体５に固定されている。
固定板２２の前面には円柱形の一対の固定保持ピン４０が上下に間隔を空けて立設されている。この固定保持ピン４０の先端部には直径を一回り大きくした拡径部４０ａが形成されている。
【００１９】
また、固定板２２の前面には搖動押圧板４２が、摺動、且つ揺動できるように、上端側に位置する固定保持ピン４０の基端部を回動軸として回動自在に配設されている。この搖動押圧板４２には、固定保持ピン４０と同方向に、搖動保持ピン４１が上下に間隔を空けて立設されている。
固定保持ピン４０及び搖動保持ピン４１は、これらの間にパウチ５０の注出ノズル５６を形成していない側縁部５４側のサイドシール部５４ａを狭着するものであり、搖動保持ピン４１は、固定保持ピン４０よりも小径に形成され、図８（ａ）に示すように固定板２２と搖動押圧板４２が閉じた状態では、固定保持ピン４０と搖動保持ピン４１とが上下に互い違い（千鳥状）に配設される。
【００２０】
［パウチへのアタッチメントへの装着］
パウチ用アタッチメント１のパウチ５０への装着は、図８（ｂ）に示すように、搖動押圧板４２を揺動して横方向へ開き、パウチ５０の側縁部５４のサイドシール部５４ａを固定保持ピン４０と搖動保持ピン４１との間に差し込み、搖動押圧板４２を揺動して閉じることによって装着する（図１参照）。なお、図示していないが、搖動押圧板４２は、常時、バネによって待機時に付勢させるようにしてもよいし、狭着位置をロックするロック部材を設けてもよい（図１４の符号４２ａ参照）。
そして、パウチ５０が狭着されると、図８（ａ）に示すように、固定保持ピン４０と搖動保持ピン４１とが千鳥状に配列され、サイドシール部５４ａが、Ｓ字形状に変形した形状で狭着されるので、パウチ５０にアタッチメント１を確実に装着できる。また、フレーム本体５には二股支持部１９（図４参照）が形成されており、パウチ５０の側縁部５４のサイドシール部５４ａはこの二股支持部１９間を挿通させて狭着することができる。
【００２１】
さらに、パウチ用アタッチメント１の装着位置は、一対の押圧アーム３０の押圧部３２が、前述したパウチ５０の自己閉塞を解除する押圧ポイントＰ、若しくは内容物の圧力により膨らむことにより発生した稜線に押圧部３２が位置するように装着する（図１参照）。そして、パウチ用アタッチメント１の待機時においては、押圧部３２は所定の間隔が維持され、押圧ポイントＰ若しくは前記稜線との接触があっても、それらを強く押圧することはない。また、押圧アーム３０が外側に湾曲されているので、押圧アーム３０とパウチ５０の表裏面との干渉を防止することができる。
【００２２】
［プッシュ部と押圧アームの動作説明］
プッシュ部４は、待機時では、図４及び図６に示すように、後退位置にあり、押し込まれた作動時では、図５及び図７に示すように前進位置にある。そして、プッシュ部４を押し込んでプッシャー３４を前進移動し、プッシャー３４の傾斜面３４ａを押圧アーム３０の基端部２７の規制面２７ａに沿って摺動、前進させることによって基端部２７を外側に開く。この結果、押圧アーム３０を外側に開く方向に付勢している戻しバネ２５に抗して、押圧アーム３０が回動軸１６を中心に閉じる方向へ回動し、先端側に設けられた押圧部３２同士が接近して閉じる構成とされている。
【００２３】
一方、プッシュ部４の押し込みが解除されると、押圧アーム３０の各々が戻しバネ２５によって押圧アーム３０が開く方向に回動し、先端側に設けられている押圧部３２同士が離れる。このように、押圧アーム３０が開く方向に回動すると、押圧アーム３０の基端部２７が閉じられ、プッシャー３４の傾斜面３４ａが基端部２７の規制面２７ａに押し付けられて、プッシャー３４、プッシュ部４が後退する。この結果、パウチ用アタッチメント１は、待機時の後退位置に戻される。なお、本実施形態では、プッシュ部４は、規制面２７ａによって戻されるが、別途、プッシュ部に戻し用のバネを設け、復帰位置に戻すようにしてもよい。
【００２４】
また、図９は、前述した本実施形態のパウチ用アタッチメント１における押圧アーム３０の変形例を示し、押圧アーム３０を伸縮自在として、パウチサイズが相違した場合においてもの適用可能とした構成としている。
このアタッチメント１の押圧アーム３０は、直線部を有する前方押圧アーム３０ａと後方押圧アーム３０ｂとし、それぞれの直線部同士で前後に進退させて、押圧アーム３０の長さを伸縮する。そして、図９中の鎖線が、押圧アーム３０が縮んだ状態を示す。
また、前記伸縮自在な押圧アーム３０を、後述する第２の実施形態の回動可能なパウチ用アタッチメント１００の押圧アーム３０として併用した場合は、押圧部３２の前後移動と回動方向への移動が可能となり、パウチ５０のシート面の広範囲にわたって、押圧部３２のポジション替えが可能となる。
なお、押圧アーム３０の前方押圧アーム３０ａと後方押圧アーム３０ｂとの伸縮方法は、適宜、周知の方法を採用すれば良く、これらアームを重ねてネジなどで遊着してスライドさせてもよく、また、構造は複雑になるが、一方のアームの長手方向に溝若しくは孔を形成し、他方のアームに前記溝若しくは孔内でスライド可能なスライド部を形成してスライドさせてもよい。
【００２５】
さらに、図１０は、前述した本実施形態のパウチ用アタッチメント１における押圧アーム３０のさらに他の変形例を示し、パウチ用アタッチメント１の押圧アーム部３が、回動軸４６を中心に略Ｘ字形に配置されている。このため、プッシュ部４を前進させると、プッシュ部４の傾斜面３４ａが押圧アーム３０の規制面２７ａに沿って摺動する。このプッシュ部４の前進移動によって、押圧アーム３０の基端部側が閉じるとともに、先端側の押圧アーム３０も閉じて押圧部３２が互いに接近して当接する。一方、プッシュ部４が後退すると、押圧アーム３０は、基端部側が開くとともに先端側の押圧アーム３０が開き、押圧部３２が離れる。
本実施形態においては、このような構成のパウチ用アタッチメント１によっても、パウチ５０のシート面の押圧が可能である。
【００２６】
本実施形態のパウチ用アタッチメントによれば、パウチを簡便に取り扱って内容物を効率良く注出でき、押圧アーム部の操作、パウチの側縁部の狭着を容易、且つ確実に行うことができる。
【００２７】
次に、本発明の第２の実施形態のパウチ用アタッチメントについて説明する。
図１１は、本実施形態のパウチ用アタッチメント１００を示す。なお、本実施形態のアタッチメント１００において、前述した第１の実施形態のパウチ用アタッチメント１と、同一部分については同一の符号を付し、その詳細な説明は省略する。
【００２８】
本実施形態のパウチ用アタッチメント１００は、前述した第１の実施形態のパウチ用アタッチメント１において、装着部の構成を変更し、フレーム本体５に長板から成る把持部材６０を設け、この把持部材６０の両端部にパウチ５０を取付ける装着部として、横断面形状が矩形の第１装着部６１及び第２装着部６２を設けた構成とした。
【００２９】
そして、図１２に示すように、上側の第１装着部６１には、前側に上下に延びるパウチ５０のサイドシール部５４ａの厚みよりも狭いスリット部６１ａが形成され、このスリット部６１ａの端面が狭圧保持部６１ｂを形成する。
また、下側の第２装着部６２は、前述した第１装着部６１と同じ形状に形成されているが、パウチ５０の装着状態（保持）を安定させるため、把持部材６０に対して傾斜させて設けられる。この装着部の傾斜は、上側の第１装着部６１を傾斜させても良く、或いは上側の第１装着部６１及び下側の第２装着部６２ｂの両者を傾斜させても良いが、装着時のより確実な安定の点から、少なくとも下側の第２装着部６２を傾斜させることが好適である。
【００３０】
そして、パウチ用アタッチメント１００のパウチ５０への装着は、パウチ５０のサイドシール部５４ａを、第１装着部６１及び第２装着部６２のスリット部６１ａ，６２ａに合わせて押し込むことにより行われる。なお、図１３に示すように、本実施形態のパウチ用アタッチメント１００は、下保持板７に設けた断面コ字形状の固定部材６５の回動軸６８に、把持部材６０の上端部を回動可能に取付けている。
本実施形態のパウチ用アタッチメントによれば、パウチの把持及び内容物の注出作業を容易に行うことができ、また、把持部材をより安定してパウチに装着させることができる。
【００３１】
次に、本発明の第３の実施形態のパウチ用アタッチメントについて説明する。
本実施形態のパウチ用アタッチメント１０１は、前述した第１の実施形態のパウチ用アタッチメント１において、装着部２をフレーム本体５の上方に設け、このフレーム本体５の下方に把持部材６０を設けた構成とし、押圧アーム部３を、一対の押圧アーム３０の上面と下面を挟むように、その中間部に外側面が矩形の摘み部８１を設け、摘み部８１の下側に押圧アーム３０の延在方向に延びる長溝８１ｂを設けた構成とした（図１４、図１５参照）。
【００３２】
本実施形態のパウチ用アタッチメント１０１の装着部２は、フレーム本体５に平板三角形状の固定板２２を立設し、この固定板２２に固定保持ピン４０を立設している。一方、搖動保持ピン４１を立設した搖動押圧板４２を、固定板２２の前面で揺動できるように、下側に位置する固定保持ピン４０の基端部を回動軸とし回動自在に配設されている。そして、固定板２２と搖動押圧板４２を閉じた状態では、これらのピン４０，４１を上下に千鳥状に配設し、パウチ５０のサイドシール部５４ａを挟着する際は、搖動押圧板４２の上方側を回動させて開き、パウチ５０のサイドシール部５４ａを固定保持ピン４０，搖動保持ピン４１の間に挟み込む。
【００３３】
また、本実施形態のパウチ用アタッチメント１０１の押圧アーム３０は、各押圧アーム３０を外側に開く方向に付勢する戻しバネ２５の一端側が前述した長溝８１ｂの内面に付勢され、他端側では回動軸１６の下端に巻装され、端部が固定部分に固定されているため、待機時に各押圧アーム３０を外側に開く方向に付勢する（図１６参照）。この結果、各押圧アーム３０の摘み部８１を内側へ押圧すると、各押圧アーム３０が閉じる方向に回動する（図１７参照）。
【００３４】
さらに、本実施形態のパウチ用アタッチメント１０１の把持部材６０は、指受け部８５と、装着部２でパウチ５０のサイドシール部５４ａを挟着した際に、下方のサイドシール部５４ａを受け入れるスライダ部８６が把持部材６０の内方に形成されている。
【００３５】
そして、パウチ用アタッチメント１０１のパウチ５０への装着は、先ず、千鳥状に配置された固定板２２の固定保持ピン４０と揺動押圧板４２の揺動保持ピン４１との間を搖動押圧板４２の上方側を回動させて開き、パウチ５０のサイドシール部５４ａを、固定保持ピン４０，搖動保持ピン４１の間に挟着して行われ、その際、サイドシール部５４ａの下方が、把持部材６０のスライダ部８６に挿入される。
なお、この際、搖動押圧板４２の上端部のフック４２ａが、固定板２２の上部の係止部２２ａに係止され、搖動押圧板４２が固定板２２に固定される。
【００３６】
本実施形態のパウチ用アタッチメントによれば、パウチの把持及び内容物の注出作業を容易に行うことができ、また、パウチの側縁部の狭着を容易、且つ確実に行うことができる。
【００３７】
次に、本発明の第４の実施形態のパウチ用アタッチメント１０２について説明する。
本実施形態のパウチ用アタッチメント１０２は、前述した第３の実施形態のパウチ用アタッチメント１０１の装着部２の構成、押圧アーム３０の構成を変更している。
本実施形態のパウチ用アタッチメント１０２の装着部２は、図１８に示すように、固定板２２、固定狭着板９２及び搖動狭着板９３によって構成されている。そして、フレーム本体５に立設した固定板２２の前面に、前方に延びる固定狭着板９２が取付けられ、この固定狭着板９２に相対して、図示しない蝶番により搖動可能に取付けられた搖動狭着板９３が設けられている。搖動狭着板９３は、固定狭着板９２と協働してパウチ５０のサイドシール部５４ａを狭着するものであり、搖動狭着板９３の上側が開き、固定狭着板９２に対して開閉する。これらの狭着板９２，９３は、パウチ５０のサイドシール部５４ａを狭着して支持するのに十分な幅を有し、互いに向かい合う面には、断面が鋸刃形状等の凹凸部９２ａ，９３ａが形成されている。また、これらの凹凸部９２ａ，９３ａは、互いの凸部と凹部が重なり合うように配置されている。
【００３８】
固定狭着板９２の上部には、上端が上方に突出し、固定狭着板９２の方向に屈曲するＬ形ストッパ９２ｂが設けられ、狭着板９２，９３がパウチ５０を狭着する際に、パウチ５０のサイドシール部５４ａの上端位置が当接し、パウチ用アタッチメント１０２に対するパウチ５０の位置決めが行われる。
搖動狭着板９３の後面上端部には、固定板２２の前面の上部に形成され係止部２２ａまで延びるフック９３ｂが設けられ、フック９３ｂを係止部２２ａに係止して搖動狭着板９３を固定板２２に固定する（図１８、図１９参照）。
また、本実施形態の把持部材６０はフレーム本体５の下面に設けられ、図１８に示すように断面がＵ字形状であり、その下方にガイド部材９４が設けられている。このガイド部材９４は内側中央にパウチ５０のサイドシール部５４ａを受け入れるガイド溝９５が把持部材６０上端部まで形成されている（図２０参照）。
【００３９】
さらに、本実施形態のパウチ用アタッチメント１０２の押圧アーム３０は、押圧アーム３０の形状を直線形状としてその先端部に取付部材９１を介して押圧部３２を取り付けている。この取付部材９１は、断面がＬ字形状であり、その内面に押圧アーム３０先端部が位置し、押圧部３２の部材が取り付けられる。この押圧アーム３０、押圧部３２及び取付部材９１は、ネジなどにより脱着可能に取付けられる（図１８参照）。
【００４０】
そして、アタッチメント１０２のパウチ５０への装着は、搖動狭着板９３を揺動させて開き、パウチ５０のサイドシール部５４ａを固定狭着板９２と搖動狭着板９３との間に差し込んで、サイドシール部５４ａの上端を固定狭着板９２のＬ形ストッパ９２ｂに当接させ、搖動狭着板９３を揺動させて閉じる。次いで、搖動狭着板９３のフック９３ｂを、固定板２２の係止部２２ａに係止して搖動狭着板９３をロック状態にする。この結果、パウチ５０のサイドシール部５４ａは、鋸刃形状に狭着板９２，９３間に狭着される。また、ガイド部材９４は、ガイド溝９５によりパウチ５０のサイドシール部５４ａを支持する。
本実施形態のパウチ用アタッチメントによれば、パウチの把持及び内容物の注出作業を容易に行うことができ、また、より一層、パウチの側縁部の狭着を容易、且つ確実に行うことができる。
【００４１】
以上、本発明のパウチ用アタッチメントの実施形態を、図１示すパウチ５０のサイドシール部５４ａに装着する事例に基づいて説明したが、図２１に示すように、パウチ５０の側縁部５４のサイドシール部５４ａを折り返し、剛性、把持性等を向上させた形態のパウチに装着することより、より一層装着状態が安定する。
また、本発明のパウチ用アタッチメントは、前述した注出部の注出口５７が自己閉鎖を生じるスタンディングパウチ等に限定されることなく、特に自己閉鎖を生じないスタンディングパウチ等においては、待機時に注出部の注出口５７を閉鎖し、注出時に前記注出口５７を開口するアタッチメントとしても使用可能である。その場合、待機時に押圧アーム部３の押圧部３２を当接した閉じた状態とし、注出時に押圧アーム部３の押圧部３２を開く状態とするように、戻しバネ２５の張力作用、或いはプッシュ部４の傾斜面３４ａと押圧アーム３０の規制面２７ａの形状を変更すれば良い（図６、図１０参照）。
【００４２】
本発明を前述した実施形態に基づいて説明したが、本発明は前述した実施形態に限定されるものではなく、本発明の範囲を逸脱することなく、他の変更が可能である。
【符号の説明】
【００４３】
１，１００〜１０３  アタッチメント
２  装着部
３  押圧アーム部
４  プッシュ部
５  フレーム本体
６  上保持板
７  下保持板
１６  回動軸
１７  支持孔
２１  長孔
２２  固定板
２３  凹所
２５  戻しバネ
２７  基端部
２７ａ  規制面
２９  軸孔
３０  押圧アーム
３２  押圧部
３４  プッシャー
３４ａ  傾斜面
４０  固定保持ピン
４１  搖動保持ピン  
４２  搖動押圧板（搖動押圧部材）
５０  パウチ
５４  側縁部
５４ａ  サイドシール部
５７ａ  注出口
６０  把持部材
６１,６２  装着部
６１ｂ，６２ｂ  狭圧保持部
９１  取付部材
９２  固定狭着板
９３  搖動狭着板
９４  ガイド部材
９５  ガイド溝
【図１】
2015221685.tif 000003
【図２】
2015221685.tif 000004
【図３】
2015221685.tif 000005
【図４】
2015221685.tif 000006
【図５】
2015221685.tif 000007
【図６】
2015221685.tif 000008
【図７】
2015221685.tif 000009
【図８】
2015221685.tif 000010
【図９】
2015221685.tif 000011
【図１０】
2015221685.tif 000012
【図１１】
2015221685.tif 000013
【図１２】
2015221685.tif 000014
【図１３】
2015221685.tif 000015
【図１４】
2015221685.tif 000016
【図１５】
2015221685.tif 000017
【図１６】
2015221685.tif 000018
【図１７】
2015221685.tif 000019
【図１８】
2015221685.tif 000020
【図１９】
2015221685.tif 000021
【図２０】
2015221685.tif 000022
【図２１】
2015221685.tif 000023